(57)【要約】【課題】利用者にとってアクセスシビリティの高いホームページを開設し、新郎新婦に対する祝辞を収集及び提供する。【解決手段】祝辞伝達ホームページ管理システムはコンピュータシステム１０において、新郎新婦に対する祝辞を送信及び表示するホームページを開設し、開設したホームページへのアクセスＩＤを含む二次元コード画像を生成した後、生成した二次元コード掲載したアクセスカードの発行を行う。利用者端末機２０は、発行されたアクセスカードに表示されているＱＲコードを利用しホームページを結婚式場においても容易に閲覧し、祝辞を電子メールとして作成送信することが可能となる。上記コンピュータシステムは、あらかじめ用意されたフォーマットにしたがって文字情報や画像データをはじめとする上記電子メールに含まれる各種情報を原則的にはそのまま反映した上記送信された祝辞を閲覧するページを作成する。【選択図】図１
2009151738.tif 000002
【特許請求の範囲】
【請求項１】
結婚する新郎新婦への祝辞を収集し、閲覧可能にするホームページを開設して提供する結婚式における祝辞伝達ホームページ管理システムであって、
少なくとも上記新郎新婦に対する祝辞を電子メールとして作成送信するための挨拶ページ及び送信された祝辞を閲覧するページが設けられた、携帯型端末機によって閲覧可能な当該新郎新婦に専用の祝辞伝達ホームページを開設し、該開設したホームページへのアクセスＩＤを含む二次元コード画像を生成した後、該生成した二次元コードを表示したアクセスカードの発行を行うコンピュータシステムと、
上記コンピュータシステムに開設された上記祝辞伝達ホームページを閲覧するために利用者が所有する上記携帯型端末機等の利用者端末機と、を備え、
上記携帯型端末機等の利用者端末機は、上記アクセスカードに表示されている前記二次元コード画像を読み取ることで、上記祝辞伝達ホームページにアクセス可能となり、上記祝辞伝達ホームページの閲覧の際に上記挨拶ページを介して上記電子メールを上記コンピュータシステムに対して送信し、
上記コンピュータシステムは、あらかじめ用意されたフォーマットにしたがって文字情報や画像データをはじめとする上記電子メールに含まれる各種情報を原則的にはそのまま反映した上記送信された祝辞を閲覧するページを作成することを特徴とする結婚式における祝辞伝達ホームページ管理システム。
【請求項２】
上記アクセスカードは、ウェディングメッセージカードであることを特徴とする請求項１記載の結婚式における祝辞伝達ホームページ管理システム。
【請求項３】
上記コンピュータシステムは、上記祝辞伝達ホームページを開設する際に開設期間を設定可能であり、該設定された開設期間を上記アクセスカードに印字することを特徴とする請求項１記載の結婚式における祝辞伝達ホームページ管理システム。
【発明の詳細な説明】
【技術分野】
【０００１】  本発明は、結婚する新郎新婦への祝辞を収集し、閲覧可能にするホームページを開設し管理する結婚式における祝辞伝達ホームページ管理システムに関する。
【背景技術】
【０００２】  近年、インターネットをはじめとする情報技術の進歩に伴い、挙式を執り行うにあたって提供されるサービスも多様化している（例えば、特許文献１参照）。【０００３】  この特許文献１には、通信ネットワーク上に公開された、新郎新婦の結婚に関わる情報を記載したホームページを、通信ネットワークを介してユーザに閲覧させる結婚記念ホームページ開設システムが開示されている。この結婚記念ホームページ開示システムは、新郎新婦のなれ初めをコミック風に紹介する情報を含めた結婚に関わる情報を、新郎新婦ごとに一定期間、ホームページ上で公開する公開手段と、この公開手段によって公開されているホームページにネットワークを介してアクセスしてきた端末装置のユーザにホームページを閲覧させる閲覧対応手段とを備えたものである。このように、この結婚記念ホームページ開設システムにおいては、ホームページで提供される結婚に関わる情報に新郎新婦のなれ初めをコミック風に紹介する情報が含まれていることから、単に新郎新婦のプロフィールや挙式時の様子のみを掲載した従来ホームページに比べて、閲覧者にとって親近感が沸き魅力あるホームページを提供することができるものである。
【特許文献１】特開２００４−６２８０９号公報
【発明の開示】
【発明が解決しようとする課題】
【０００４】  しかしながら、上述した特許文献１をはじめとする従来のシステムにおいては、結婚するカップルに関する情報をホームページに掲載する際に、当該ホームページを開設するコンピュータシステム側でレイアウトをはじめとする各種加工を施す必要があり、コンピュータシステムの負担が大きいという問題があった。【０００５】  また、かかるシステムにおいては、結婚する新郎新婦に関する情報を一方的にホームページに掲載するものであることから、新郎新婦以外のユーザは当該ホームページを閲覧するのみにとどまり、心から楽しむことができるものとはいえなかった。【０００６】  さらに、かかるシステムは、ホームページの閲覧に用いる装置端末として、主にパーソナルコンピュータの利用を前提としたものであった。そのため、かかるシステムにおいては、ホームページ閲覧のためにパーソナルコンピュータの操作を強いることとなるとともに、閲覧する時間や場所も限定されることとなり、煩雑な感が否めないという問題があった。【０００７】  本発明は、このような実情に鑑みてなされたものであり、コンピュータシステムの負担を軽減させ、新郎新婦以外のユーザからの祝辞を結婚式場であっても手軽に収集及び閲覧可能とし、閲覧する時間や場所を限定しないホームページを提供することができる結婚式における祝辞伝達ホームページ管理システムを提供することを目的とする。
【課題を解決するための手段】
【０００８】  上述した目的を達成するため本発明にあっては、結婚する新郎新婦への祝辞を収集し、閲覧可能にするホームページを開設して提供する結婚式における祝辞伝達ホームページ管理システムであって、少なくとも新郎新婦に対する祝辞を電子メールとして作成送信するための挨拶ページ及び送信された祝辞を閲覧するページが設けられた、携帯型端末機によって閲覧可能な当該新郎新婦に専用の祝辞伝達ホームページを開設し、開設したホームページへのアクセスＩＤを含む二次元コード画像を生成した後、生成した二次元コードを表示したアクセスカードの発行を行うコンピュータシステムと、コンピュータシステムに開設された祝辞伝達ホームページを閲覧するために利用者が所有する携帯型端末機等の利用者端末機と、を備え、携帯型端末機等の利用者端末機は、アクセスカードに表示されている二次元コード画像を読み取ることで、祝辞伝達ホームページにアクセス可能となり、祝辞伝達ホームページの閲覧の際に挨拶ページを介して電子メールをコンピュータシステムに対して送信し、コンピュータシステムは、あらかじめ用意されたフォーマットにしたがって文字情報や画像データをはじめとする上記電子メールに含まれる各種情報を原則的にはそのまま反映した上記送信された祝辞を閲覧するページを作成することを特徴としている。【０００９】また、アクセスカードは、ウェディングメッセージカードであることを特徴とする。【００１０】また、コンピュータシステムは、祝辞伝達ホームページを開設する際に開設期間を設定可能であり、設定された開設期間をアクセスカードに印字することを特徴とする。
【発明の効果】
【００１１】  本発明においては、例えば、結婚式場などで渡されるウェディングメッセージカードに表示された、新郎新婦専用に開設した祝辞伝達ホームページへのアクセスＩＤを含む二次元コード画像を、カメラ付き携帯型端末機で読み取ることで、祝辞伝達ホームページにアクセス可能となり、この祝辞伝達ホームページの挨拶ページを介して、祝辞メールを送信したり、祝辞メールを閲覧できるようになる。したがって、新郎新婦以外の出席者は、結婚式の感動を得ながら祝辞メールを新郎新婦に対して手軽に送ることができるため、心から楽しめるコンテンツを提供することができると共に、出席者は祝辞伝達ホームページを閲覧するためにパーソナルコンピュータを操作する必要が全くなく、携帯型端末機を所有していれば容易な方法で祝辞伝達ホームページを閲覧することが可能となる。さらに本発明のシステムにあっては、あらかじめ用意されたフォーマットにしたがって新郎新婦から提供された文字情報や画像データをはじめとする各種情報を原則的にはそのまま反映した祝辞伝達ホームページを作成することにより、コンピュータシステムの負担を著しく低減させることができる。
【発明を実施するための最良の形態】
【００１２】  以下、本発明を適用した具体的な実施の形態について図表を参照しながら詳細に説明する。【００１３】  この発明は、結婚する新郎新婦への祝辞を収集し、閲覧可能にする結婚式における祝辞伝達ホームページ管理システムを構成するものである。この結婚式における祝辞伝達ホームページ管理システムは、新郎新婦から親類や知人に知らせたい情報を、携帯電話機や携帯情報端末（Ｐｅｒｓｏｎａｌ  Ｄｉｇｉｔａｌ  Ａｓｓｉｓｔａｎｔｓ；ＰＤＡ）等の携帯型機器専用のホームページに掲載し、このホームページを閲覧した人々から祝辞を電子メールによって収集し上記ホームページで閲覧できるものである。【００１４】  この結婚式における祝辞伝達ホームページ管理システムは、図１に示すように、新郎新婦に対する祝辞を送信及び表示するホームページを開設し、開設したホームページへのアクセスＩＤを含む二次元コード画像（例えばＱＲコード）を生成した後、生成した二次元コード画像及び開設したホームページの利用期間を表示したアクセスカードの発行を行うコンピュータシステム１０と、コンピュータシステム１０から発行されたアクセスカードに表示されている二次元コード画像を読み取ることで、祝辞伝達ホームページに結婚式場であっても手軽にアクセス可能な、カメラ付きの携帯電話機や形態情報端末等の利用者端末機２０を備える。【００１５】  コンピュータシステム１０は、図２に示すように、ＨＰ開設手段Ａ、ＨＰ閉鎖手段Ｂ、ＱＲコード生成手段Ｃ、アクセスカード生成手段Ｄ、アクセスコード印刷手段Ｅおよび祝辞伝達ホームページ、アクセスカードにより構成される。【００１６】  例えば図１に示すコンピュータシステム１０は、クライアント／サーバ型のシステム形態により実現可能であり、ＨＰ開設手段Ａ、ＨＰ閉鎖手段Ｂ、ＱＲコード生成手段Ｃ、アクセスカード生成手段ＤおよびＨＰ、アクセスカードにより構成されるサーバ装置１１と、ＱＲコード印刷手段Ｅにより構成される管理者端末機１２により構成される。【００１７】  サーバ装置１１は、当該祝辞伝達システムのサービスを提供する管理者によって管理されるものであり、管理者端末機１２のサービス利用登録に応じて、結婚するカップルに関する情報を掲載する当該新郎新婦に専用の祝辞伝達ホームページを開設し、格納する。そして、サーバ端末１１は、利用者端末機２０からのアクセスに応じて、該当する祝辞伝達ホームページを閲覧させる。【００１８】  また、サーバ装置１１は、上記祝辞伝達ホームページ開設の際に、開設したホームページへのアクセスＩＤを含む二次元コード画像を生成した後、例えば図３に示すような生成した二次元コード（ＱＲコード）を印刷・表示したアクセスカード（ウェディングメッセージカード）の発行を行う。【００１９】  管理者端末機１２は、当該祝辞伝達ホームページ管理システムのサービスを提供する管理者が所持する情報処理端末機であり、例えばインターネットに接続可能なパーソナルコンピュータがあげられる。管理端末機１２は、管理者の操作のもとに、例えば図４に示すような、当該祝辞伝達ホームページ管理システムのサービスの利用登録を行った後、例えば図５に示すような顧客としての新郎新婦毎の受注内容を管理する���めの画面を表示画面に表示する。【００２０】  利用者端末機２０は、新郎新婦の親類や知人といった祝辞伝達ホームページの閲覧を許可された利用者が所持する情報処理端末機であり、例えばインターネットに接続可能な携帯電話機をはじめとする携帯型の情報処理端末機が用いられる。特に、利用者端末機２０は、後述する新郎新婦に対する祝辞を電子メールとして送信する際に画像データを添付するために、カメラ付きの携帯端末機が望ましい。利用者端末機２０は、利用者の操作のもとに、サーバ装置１１に対してアクセスして例えば図６に示すような祝辞伝達ホームページを表示画面に表示する。利用者端末機２０は、利用者の操作のもとに、電子メールの作成及び送信や、例えば図７に示すような収集された祝辞の閲覧を行うことができる。【００２１】  図１に示すコンピュータシステムはクライアント／サーバ型のシステム形態以外にも、ＨＰ開設手段Ａ、ＨＰ閉鎖手段Ｂ、ＱＲコード生成手段Ｃ、アクセスカード生成手段Ｄ、アクセスコード印刷手段Ｅおよび祝辞伝達ホームページ、アクセスカードを一括管理するデスクトップアプリケーション型のシステム形態等でも実現可能である。【００２２】  以下に、この結婚式における祝辞伝達ホームページ管理システムの利用方法について、詳細に説明する。【００２３】  例えば、新郎新婦専用に開設した祝辞伝達ホームページへのアクセスＩＤを含む二次元コード画像が印刷されたウェディングメッセージカードは、結婚式の当日に出席者のテーブルに利用説明書と共に置かれる。出席者は、このウェディングメッセージカードに表示された、新郎新婦専用に開設した祝辞伝達ホームページへのアクセスＩＤを含む二次元コード画像を、カメラ付き携帯型端末機で読み取ることで、祝辞伝達ホームページにアクセス可能となり、この祝辞伝達ホームページの挨拶ページを介して、祝辞メールを送信したり、祝辞メールを閲覧できるようになる。したがって、新郎新婦以外の出席者は、結婚式の感動を得ながら祝辞メールを新郎新婦に対して手軽に送ることができる。【００２４】  なお、祝辞伝達ホームページへのアクセスＩＤを含む二次元コード画像を表示したアクセスカードであるウェディングメッセージカードは、結婚式へ出席者できない人にも、予め郵送や電子メールで通知することが可能である。したがって、結婚式に出席できない人も、祝辞伝達ホームページへアクセスして、祝辞メールを送ったり、閲覧することが可能となる。
【図面の簡単な説明】
【００２５】
【図１】本発明の実施の形態を示す結婚における祝辞伝達ホームページ管理システムの構成を説明する図である。
【図２】コンピュータシステムの実現手段を説明する図である。
【図３】祝辞伝達ホームページへのアクセスＩＤを含む二次元コード画像を掲載したアクセスカードの具体例を説明する図である。
【図４】結婚における祝辞伝達ホームページ管理システムのサービスの利用登録を行う際の具体例を説明する図である。
【図５】結婚における祝辞伝達ホームページ管理システムの利用状況及び受注内容を管理する際の具体例を説明する図である。
【図６】祝辞伝達ホームページを構成する新郎新婦からの挨拶ページの具体例を説明する図である。
【図７】祝辞伝達ホームページを構成する祝辞一覧ページの具体例を説明する図である。
【符号の説明】
【００２６】    １０  コンピュータシステム
１１  サーバ装置
１２  管理者端末機
２０  利用者端末機
【図１】
2009151738.tif 000003
【図２】
2009151738.tif 000004
【図３】
2009151738.tif 000005
【図４】
2009151738.tif 000006
【図５】
2009151738.tif 000007
【図６】
2009151738.tif 000008
【図７】
2009151738.tif 000009